(57)【特許請求の範囲】
【請求項１】
入力されたアナログ信号のレベルを、設定されているアナログゲイン値に応じて調整するアナログアンプ部と、該アナログアンプ部から出力されるアナログ信号をデジタル信号に変換するＡＤ変換部と、該ＡＤ変換部が出力するデジタル信号のレベルを、設定されているデジタルゲイン値に応じて調整するデジタルアンプ部と、前記ＡＤ変換部の出力あるいは前記デジタルアンプ部の出力の一方を後段へ出力する信号として選択する選択部とを備えたレベル調整手段と、
前記アナログゲイン値の変更操作を受け付けるゲイン操作受付手段と、
前記レベル調整手段における自動補償のオンオフ操作を受け付ける補償操作受付手段と、
前記アナログゲイン値の現在値を表示するアナログゲイン表示手段と、
(1)前記自動補償をオンする操作に応じて、その時点の前記アナログゲイン値の現在値を目標ゲイン値として前記アナログゲイン表示手段の近傍に表示すると共に前記選択部に前記デジタルアンプ部の出力を選択させ、(2)前記自動補償がオンされている間の前記アナログゲイン値の変更操作に応じて、前記デジタルゲイン値を、前記目標ゲイン値と前記アナログゲイン値との差分を打ち消す値に設定し、(3)前記自動補償をオフする操作に応じて、前記目標ゲイン値の表示を消去すると共に、前記選択部に前記ＡＤ変換部の出力を選択させる制御手段とを、
１つの装置に又は複数の装置に分散して備えることを特徴とする音響信号処理システム。
【発明の詳細な説明】
【技術分野】
【０００１】
この発明は、入力信号のゲインの自動補償機能を備えた音響信号処理システムに関する。
【背景技術】
【０００２】
特許文献１に記載のように、従来から、入力信号の自動補償機能を備えた音響信号処理システムが知られている。
特許文献１に記載のシステムでは、信号入力デバイスにおいて、アナログ音響信号を入力する入力ポートに、入力信号のレベルを調整するアナログアンプと、アナログアンプの出力をＡＤ変換するＡＤ変換器と、ＡＤ変換器の出力信号のレベルを調整するデジタルアンプによる補償部と、ＡＤ変換器の出力信号と補償部の出力信号とのうちいずれかを選択するスイッチ部を設け、スイッチ部が選択した信号を後段へ出力するようにしている。
【０００３】
また、コンソール上に、上記入力ポートと対応させて、自動補償のオンオフ操作を受け付ける第１の操作子と、アナログアンプのゲインの変更操作を受け付ける第２の操作子を設けている。
そして、ユーザが第１の操作子を操作すると、信号入力デバイスは対応する入力ポートの自動補償のオンオフを切り替える。そして、上記スイッチ部は、自動補償がオンの場合は補償部の出力信号を、オフの場合はＡＤ変換器の出力信号を選択する。
また、ユーザが第２の操作子を操作すると、その操作量に応じて、信号入力デバイスは対応する入力ポートにおけるアナログアンプのゲインを変更する。また、自動補償がオンの場合、補償部のゲインを、アナログアンプのゲイン変更を打ち消すだけ変更する。
【０００４】
従って、信号入力デバイスは、自動補償がオフの場合、第２の操作子の操作によって設定されたゲインに従ってレベル調整された信号を後段へ出力する。一方、自動補償がオンの場合、第２の操作子の操作によってゲインの設定が変更されても、その変更分は補償部で打ち消されるため、第２の操作子が操作されても、実質的に一定のゲインでレベル調整された信号を後段へ出力する。
【先行技術文献】
【特許文献】
【０００５】
【特許文献１】特開２０１１−２９８９９号公報
【発明の概要】
【発明が解決しようとする課題】
【０００６】
上述の自動補償機能によれば、例えば、入力信号の振幅に応じてアナログアンプのゲインを調整し、レンジを最大限活用できるようなレベルの信号をＡＤ変換器に入力したいような場合でも、そのゲイン調整が後段の信号レベルに影響を与えないようにすることができる。従って、後段のパラメータを再設定せずに、アナログアンプのゲインを適切な値に設定することができ、音質向上に寄与できる。
【０００７】
ところで、上述した特許文献１には、入力ポートの動作状態をどのように表示するかについては、特に記載がない。一方、信号のレベル調整についてユーザが操作して設定するパラメータは、自動補償のオンオフとアナログアンプのゲインであるが、これらの値を単に表示するだけでは、十分に見やすい表示にはならない。
【０００８】
例えば、自動補償がオフの状態では、後段に出力される信号のレベルは、アナログアンプのゲインに依存する。従って、アナログアンプのゲインの現在値に基づき、出力信号のレベルをある程度把握できるし、他のポートとの比較もできる。
しかし、自動補償がオンの状態では、実際に後段に出力される信号のレベルは、アナログアンプのゲインによらず一定であるし、補償部によるレベル調整も反映させたものである。従って、アナログアンプのゲインの現在値が確認できても、それは出力信号のレベルを把握するための情報としては不十分であると言える。
【０００９】
この発明は、このような背景に基づきなされたものであり、自動補償機能を備えた音響信号処理システムにおいて、入力ポートから後段へ出力される信号のレベルをユーザが把握し易くすることを目的とする。
【課題を解決するための手段】
【００１０】
上記の目的を達成するため、この発明の音響信号処理システムは、入力されたアナログ信号のレベルを、設定されているアナログゲイン値に応じて調整するアナログアンプ部と、そのアナログアンプ部から出力されるアナログ信号をデジタル信号に変換するＡＤ変換部と、そのＡＤ変換部が出力するデジタル信号のレベルを、設定されているデジタルゲイン値に応じて調整するデジタルアンプ部と、上記ＡＤ変換部の出力あるいは上記デジタルアンプ部の出力の一方を後段へ出力する信号として選択する選択部とを備えたレベル調整手段と、上記アナログゲイン値の変更操作を受け付けるゲイン操作受付手段と、上記レベル調整手段における自動補償のオンオフ操作を受け付ける補償操作受付手段と、上記アナログゲイン値の現在値を表示するアナログゲイン表示手段と、(1)上記自動補償をオンする操作に応じて、その時点の上記アナログゲイン値の現在値を目標ゲイン値として上記アナログゲイン表示手段の近傍に表示すると共に上記選択部に上記デジタルアンプ部の出力を選択させ、(2)上記自動補償がオンされている間の上記アナログゲイン値の変更操作に応じて、上記デジタルゲイン値を、上記目標ゲイン値と上記アナログゲイン値との差分を打ち消す値に設定し、(3)上記自動補償をオフする操作に応じて、上記目標ゲイン値の表示を消去すると共に、上記選択部に上記ＡＤ変換部の出力を選択させる制御手段とを、１つの装置に又は複数の装置に分散して設けたものである。
【発明の効果】
【００１１】
以上のようなこの発明の音響信号処理システムによれば、自動補償機能を備えた音響信号処理システムにおいて、入力ポートから後段へ出力される信号のレベルをユーザが把握し易くすることができる。
【図面の簡単な説明】
【００１２】
【図１】この発明の音響信号処理システムの実施形態であるオーディオネットワークシステムの構成を示す図である。
【図２】図１に示したミキサのハードウェア構成を示す図である。
【図３】図１に示した入出力装置のハードウェア構成を示す図である。
【図４】オーディオネットワークシステムＳを構成する各装置が行う伝送フレームに対する波形データの読み書きの内容を模式的に示す図である。
【図５】図４に示した読み書きを行う場合にオーディオネットワークシステムを構成する各装置の動作により実現される機能を、ミキサＭ１が処理する波形データの供給元及び出力先に注目して示す図である。
【図６】入出力装置が備えるアナログポートの構成を示す図である。
【図７】ミキサが備えるアナログポートの構成を示す図である。
【図８】ミキサが備える入力ｃｈの構成を示す図である。
【図９】入力レベル操作部の構成を示す図である。
【図１０】ミキサにおけるパラメータの記憶領域の構成を示す図である。
【図１１】図１に示したミキサのＣＰＵが補償ボタンの操作を検出した場合に実行する処理及びその処理をトリガとして実行される他の処理のフローチャートである。
【図１２】図１１の続きのフローチャートである。
【図１３】図１に示したミキサのＣＰＵがゲインつまみの操作を検出した場合に実行する処理及びその処理をトリガとして実行される他の処理のフローチャートである。
【図１４】入力レベル操作部における表示の遷移例を示す図である。
【図１５】ゲイン／パッチ設定画面の表示例を示す図である。
【図１６】その別の例を示す図である。
【図１７】そのさらに別の例を示す図である。
【発明を実施するための形態】
【００１３】
以下、この発明を実施するための形態を図面に基づいて具体的に説明する。
まず、図１に、この発明の音響信号処理システムの実施形態であるオーディオネットワークシステムの構成を示す。
【００１４】
この図に示すように、オーディオネットワークシステムＳは、それぞれ通信ノードであるミキサＭ１，Ｍ２及び入出力装置ＩＯ１〜ＩＯ３（個体を特定する必要がない場合、それぞれ「ミキサＭ」、「入出力装置ＩＯ」と呼ぶ）を、通信ケーブルＣＢによりループ状に接続して構成している。また、ループ状の接続に用いる通信ケーブルのうち任意の１カ所を省略して、端部を有するカスケード状に機器を接続してもよい。
【００１５】
いずれの場合も、オーディオネットワークシステムＳを構成する各装置は、通信ケーブルＣＢにより、全ての装置を通る１つのリング状のデータ伝送路を形成することができる。そして各装置は、この伝送路にデータ伝送用の伝送フレームを一定周期で循環させるように伝送し、その伝送フレームに対して他のノードに送信したいデータを書き込みすること、および、その伝送フレームに他のノードが書き込んだデータを読み出すことにより、伝送路上の任意のノードとの間でデータの送受信を行うことができる。ここで送受信可能なデータには、少なくとも、音響信号である複数ｃｈ（チャンネル）分のデジタル波形データと、情報の通知や動作の要求のための制御データとが含まれる（詳細は例えば特開２００７−２５９３４７号公報参照）。このようなデータ伝送を行うネットワークを、ここでは「オーディオネットワーク」を呼ぶことにする。
【００１６】
また、各入出力装置ＩＯは、オーディオネットワークシステムＳに対して外部から音響信号を入力する入力手段及び／又は外部へ音響信号を出力する出力手段を有する装置である。ただし、装置毎に入力ポート及び出力ポートの数やその他の機能が異なっていても構わない。
【００１７】
各ミキサＭは、各入出力装置ＩＯから入力され、オーディオネットワークを介して伝送される複数ｃｈの音響信号に対し、ミキシング、イコライジング、エフェクト付与等の種々の信号処理を施す機器である。また、その信号処理の結果は、オーディオネットワークを介して入出力装置ＩＯに伝送しその入出力装置ＩＯから外部へ出力させることができる。また、ここで説明する例では、ミキサＭ自体も、上記の入力手段及び出力手段を備えている。従って、このミキサＭは、オーディオネットワークに接続されていない単体の場合でも、音響信号の入出力が可能な１台のデジタルオーディオミキサとして動作することができる。
また、このような、ミキサを２台備えるシステムは、例えば１台のミキサでステージ上の出演者に聞かせる音のミキシングを行い、もう１台のミキサで客席の観客に聞かせる音のミキシングを行うようといった用途に用いることが考えられる。
【００１８】
次に、図２に、ミキサＭのハードウェア構成を示す。
図２に示す通り、ミキサＭは、ＣＰＵ１０１、ＲＯＭ１０２、ＲＡＭ１０３、表示器１０４、電動フェーダ１０５、操作子１０６、外部入出力部１０７、ＤＳＰ（デジタル・シグナル・プロセッサ）１０８、ネットワーク入出力部１０９を備え、これらがシステムバス１１１により接続されている。また、外部入出力部１０７、ＤＳＰ１０８及びネットワーク入出力部１０９の３ブロックは、複数ｃｈ分のデジタル波形データを伝送するためのオーディオバス１１２にも接続されている。
【００１９】
そして、ＣＰＵ１０１は、ミキサＭの動作を統括制御する制御手段であり、ＲＯＭ１０２に記憶された所要の制御プログラムを実行することにより、後述するものをはじめ、種々の制御機能を実現する。
ＲＯＭ１０２は、ＣＰＵ１０１が実行する制御プログラムを始め、電源を切っても残しておくべきデータを記憶する書き換え可能な不揮発性記憶手段である。
ＲＡＭ１０３は、一時的に記憶すべきデータを記憶したり、ＣＰＵ１０１のワークメモリとして使用したりする記憶手段である。
【００２０】
表示器１０４は、ＣＰＵ１０１による制御に従って種々の情報を表示する表示手段であり、例えば、液晶ディスプレイ（ＬＣＤ）や発光ダイオード（ＬＥＤ）によって構成することができる。
電動フェーダ１０５は、つまみを駆動する駆動手段をそなえたスライダ操作子であり、ＣＰＵ１０１の制御に従い、つまみを任意の位置に移動させることができる。
【００２１】
操作子１０６は、ミキサＭに対する操作を受け付けるためのものであり、種々のキー、ボタン、ロータリーエンコーダ、ノブ、スライダ等によって構成することができる。ミキサＭには、ミキサＭ自身だけでなく、入出力装置ＩＯのパラメータの設定操作を受け付けるための操作子も設ける。ただし、この操作子は必ずしも物理的実体を有するものでなくてよく、画面に表示したノブやボタン等を、タッチパネルを用いて操作するものも含む。
【００２２】
外部入出力部１０７は、オーディオネットワークシステムＳの外部からアナログ音響信号を直接（オーディオネットワークを介さずに）入力し、これをＡＤ変換してオーディオバス１１２を介して他のブロックに供給する入力部と、オーディオバス１１２１を介して他のブロックから供給されたデジタル音響信号（デジタル波形データ）をＤＡ変換して外部へ直接出力する出力部と、外部とオーディオバス１１２との間でデジタル音響信号を入出力するデジタル入出力部とを備えるインタフェースである。入力も出力も、複数のポートで行うことができる。これらのうち、実施形態の特徴と関連するのはアナログの入力部であり、その構成については後に詳述する。
【００２３】
ＤＳＰ１０８は、オーディオバス１１２を介して他ブロックから取得した波形データに対し、ワードクロックに基づくタイミングで、ミキシング、イコライジング、エフェクト付与を始めとする種々の処理を行う信号処理手段である。該処理が施された波形データは、オーディオバス１１２を介して他のブロックに出力される。
【００２４】
ネットワーク入出力部１０９は、オーディオネットワークを介した通信を行う機能を備え、上述した伝送フレームの送受信制御に加え、オーディオネットワークへの波形データ及び制御データの送信（伝送フレームへの書き込み）と、オーディオネットワークからの波形データ及び制御データの受信（伝送フレームからの読み出し）とを行う。
ここで、複数ｃｈ分の波形データを送信する場合、ネットワーク入出力部１０９には、その送信するｃｈ数分の送信ポートが形成され、他ブロックからその複数ｃｈ分の送信ポートに供給された複数ｃｈの波形データがオーディオネットワークを介して送信される。また、複数ｃｈ分の波形データを受信する場合には、その受信するｃｈ数分の受信ポートが形成され、オーディオネットワークを介して受信された複数ｃｈの波形データは、その複数ｃｈ分の受信ポートから他ブロックに供給される。
【００２５】
なお、ネットワーク入出力部１０９がオー ディオネットワークを介して他のノードから受信した波形データは、その受信ポートからオーディオバス１２１を介して他ブロックへ供給され、また、他ブロックからオーディオバス１２１を介して送信ポートに供給された波形データは、ネットワーク入出力部１０９からオーディオネットワークを介して他のノードへ送信される。従って、外部入出力部１０７に入力した音響信号を、オーディオバス１１２を介してネットワーク入出力部１０９に供給し、オーディオネットワークを介して他のノードへ送信することができる。逆に、オーディオネットワークを介して他のノードから受信した波形データをオーディオバスを介して外部入出力部１０７へ供給し、外部へ出力することもできる。もちろん、その間にＤＳＰ１０８による信号処理を行うこともできる。
【００２６】
次に、図３に、入出力装置ＩＯのハードウェア構成を示す。
図３に示す通り、入出力装置ＩＯは、ＣＰＵ２０１、ＲＯＭ２０２、ＲＡＭ２０３、簡易ＵＩ（ユーザインタフェース）２０４、外部入出力部２０５、ネットワーク入出力部２０６を備え、これらがシステムバス２１１により接続されている。また、外部入出力部２０５及びネットワーク入出力部２０６は、デジタル波形データを伝送するためのオーディオバス２１２にも接続されている。
【００２７】
そして、ＣＰＵ２０１は、入出力装置ＩＯの動作を統括制御する制御手段であり、ＲＯＭ２０２に記憶された所要の制御プログラムを実行することにより、後述するものをはじめ、種々の制御機能を実現する。
ＲＯＭ２０２は、ＣＰＵ２０１が実行する制御プログラムを始め、電源を切っても残しておくべきデータを記憶する書き換え可能な不揮発性記憶手段である。
ＲＡＭ２０３は、一時的に記憶すべきデータを記憶したり、ＣＰＵ２０１のワークメモリとして使用したりする記憶手段である。
【００２８】
簡易ＵＩ２０４は、小型のＬＣＤやＬＥＤ及び少数のボタン等で構成され、入出力装置ＩＯの動作状態について簡単な表示を行うと共に、電源オンオフ等の簡単な操作を受け付ける。入出力装置ＩＯにおいて、パラメータ設定等の複雑な操作は、ミキサＭ等の外部装置のＵＩを用いて受け付け、その外部装置から要求に従ってＣＰＵ２０１が必要な設定を行う。従って、入出力装置ＩＯに設けるＵＩは簡易なものでよい。
外部入出力部２０５及びネットワーク入出力部２０６の機能については、ミキサＭの外部入出力部１０７及びネットワーク入出力部１０９と同様である。
【００２９】
次に、図４に、オーディオネットワークシステムＳを構成する各装置が行う伝送フレームに対する波形データの読み書きの内容を模式的に示す。
この図の上側の５つのボックスは５台の装置であって、ここでは、各装置がそれぞれＴＬフレームの波形データ領域のうちどの部分からデータを読み出し、どの部分にデータを書き込むかを、２種類の矢印により示している。
【００３０】
また、図の下側に示した５本の帯は、それぞれ、オーディオネットワークシステムＳ内を循環する伝送フレームの波形データ領域のうち、各装置に割り当てられた波形伝送ｃｈと対応する波形データ領域を示す（割り当て先装置の符号を左端に示した）。ここで割り当てられた複数の波形伝送ｃｈは、ネットワーク入出力部の複数の送信ポートと１対１で対応付けられており、各送信ポートに供給された波形データは、対応する１つの波形伝送ｃｈを用いて送信される。なお、図４における各帯の横方向への広がりは、伝送フレームの巡回範囲に相当する。
【００３１】
そして、図で上側の装置を示すボックスから波形データ領域を示す帯に延びる矢印は、その装置がその領域に波形データを書き込むことにより該波形データの送信が行われていることを示し、波形データ領域を示す帯から機器を示すボックスに延びる矢印は、その装置がその領域から波形データを読み出すことにより該波形データの受信が行われていることを示す。ここでは、伝送フレームに所望の波形データを書き込むことが「波形データの送信」に相当し、伝送フレームから所望の波形データを読み出すことが「波形データ
の受信」に相当する。
【００３２】
また、矢印の種類につき、先端が白ヌキの矢印は、ミキサＭ１あるいはＭ２による信号処理に供する波形データの読み書きを示す。先端が黒塗りの矢印は、外部に出力する波形データの読み書きを示す。
なお、図に示した読み書きは一例であり、各機器になされている設定によっては、波形データの読み出し及び書き込みの一方又は両方を行わなかったり、さらに別の読み出しや書き込みを行ったりする場合もある。なお、各装置から外部への音響信号の直接入出力については、図示していない。
【００３３】
図４に示した例では、まず入出力装置ＩＯ１〜ＩＯ３がそれぞれ外部から入力した音響信号をデジタル波形データに変換して伝送フレームに書き込む。そして、ミキサＭ１及びＭ２がその書き込まれた波形データを読み出して信号処理を施し、その処理結果の波形データを伝送フレームに書き込む。その後、入出力装置ＩＯ１〜ＩＯ３がその書き込まれた波形データを読み出し、アナログ音響信号に変換して外部へ出力する。
図４の例では、ミキサＭ１による処理結果は入出力装置ＩＯ１及びＩＯ２が出力し、ミキサＭ２による処理結果は入出力装置ＩＯ２及びＩＯ３が出力しているが、これに限られることはない。
【００３４】
次に、図５に、図４に示した読み書きを行う場合にオーディオネットワークシステムＳを構成する各装置の動作により実現される機能を、ミキサＭ１が処理する波形データの供給元及び出力先に注目して示す。
図５に示すように、各入出力装置ＩＯ１〜ＩＯ３へ外部から入力する波形データのオーディオネットワークへの供給には、入力部２２１及びパッチ２２２が関与する。なお、実際の伝送フレームへの波形データの書き込みにはネットワーク入出力部２０６も関与するが、図５では図示を省略した。
【００３５】
これらのうち入力部２２１は、図３に示した外部入出力部２０５のうち、信号の入力を担当する部分であり、アナログ音響信号の入力を受け付けるアナログ入力ポート及びデジタル音響信号の入出力を行うデジタル入力ポート及びデジタル出力ポートを複数備える。パッチ２２２において、所望の１の入力ポートを１の送信ポートに接続することにより、その入力ポートが出力する波形データをオーディオネットワークを介して送信することができる。
これらのうち、実施形態の特徴に関連するのはアナログ音響信号の入力を受け付ける入力ポートであるので、図６に、そのアナログ音響信号の入力を受け付ける入力ポートの構成を示す（以下、単に「入力ポート」と言った場合にはアナログ入力ポートを指す）。
【００３６】
図６に示すように、入力ポート２２１ａは、アナログアンプ２３１、ゲイン調整部２３２、ＡＤＣ（アナログ・デジタル・コンバータ）２３３、補償部２３４、スイッチ２３５を備える。
これらのうち、アナログアンプ２３１は、入力するアナログ音響信号のレベルを、ゲイン調整部２３２により設定されるアナログゲイン値に応じて調整する。
【００３７】
ゲイン調整部２３２は、後述する所定のパラメータの値に従い、アナログアンプ２３１にアナログゲイン値を設定すると共に、補償部２３４にも、デジタルゲイン値を設定する。
ＡＤＣ２３３は、入力するアナログ音響信号をＡＤ変換し、その結果のデジタル波形データを出力する。
【００３８】
補償部２３４は、デジタルアンプであり、ＡＤＣ２３３が出力するデジタル波形データの信号レベルを、ゲイン調整部２３２により設定されるデジタルゲイン値に応じて調整する。
スイッチ２３５は、入力ポート２２１ａが後段に出力する信号として、ＡＤＣ２３３の出力と、補償部２３４の出力とのうちいずれか一方を選択する選択部である。
【００３９】
ここで、入出力装置ＩＯにおいては、各々の入力ポート２２１ａについて、アナログアンプ２３１におけるアナログゲイン値の変化を、補償部２３４におけるゲイン調整により吸収する、自動補償機能のオンオフを設定可能である。そして、スイッチ２３５は、自動補償機能がオンの場合には、ゲインの変化が吸収された補償部２３４の出力を、オフの場合には、アナログゲイン値の変化が反映されるＡＤＣ２３３の出力を選択する。
【００４０】
ここで、入力ポート２２１ａにおいて、入力信号のレベルによっては、そのままＡＤＣ２３３に供給すると、飽和したり、逆にレベルが低すぎて分解能が低い波形データになってしまったりすることがある。そこで、入力信号を、アナログアンプ２３１により、ＡＤＣ２３３のダイナミックレンジと同程度の振幅となるように、レベル調整することが好ましい。
【００４１】
しかし、アナログアンプ２３１のゲインを変えてしまうと、後段へ出力する信号のレベルも変わってしまい、ミキサＭでのミキシング処理等の際に、他の信号とのバランスが狂ってしまう。そこで、アナログアンプ２３１のゲインを変えた場合に、ＡＤ変換後に補償部２３４でその変化分を打ち消すゲインレベル調整を行い、後段の信号レベルに影響を与えないようにしたのが、この自動補償機能である。
この機能を利用すれば、後段への影響を気にすることなく、アナログアンプ２３２のゲインを調整し、ＡＤＣ２３３で高品質なＡＤ変換を行うことができる値に設定することができる。
【００４２】
なお、ゲイン調整部２３２は、入力ポート２２１ａについて自動補償機能がオンされている場合、補償部２３４に設定するデジタルゲイン値を、アナログアンプ２３１に設定するアナログゲイン値と所定の目標値との差分を打ち消すように設定する。自動補償機能がオフの場合、補償部２３４の出力は後段に影響を与えないので、どのような値でも構わない。また、この目標値としては、自動補償機能がオンされた時点のアナログゲイン値を用いる。従って、自動補償機能がオンされた時点で、デジタルゲイン値は０ｄＢ（デシベル）に設定することになる。
【００４３】
以上の入力ポート２２１ａが、レベル調整手段であり、入力ポート２２１ａによれば、対応する入力端子から入力するアナログ音響信号を、アナログアンプ２３１でレベル調整した上で、デジタル音響信号として後段に供給することができる。また、自動補償機能がオンであれば、それに加え、アナログアンプ２３１のゲインを調整したとしても、ポート全体での実効ゲインが変化しないようにすることができる。
なお、入力ポート２２１ａの出力は、パッチ２２２を介してネットワーク入出力部２０６に供給され、ネットワーク入出力部２０６が、伝送フレームに書き込んでオーディオネットワークに送出する。
【００４４】
パッチ２２２は、ＣＰＵ２０１による管理の下、ユーザにより設定された対応関係に従い、オーディオバス２１２を介して、入出力装置ＩＯのネットワーク入出力部２０６の各送信ポートに、所望の入力ポート２２１aから供給される波形データを供給する。ここで、入出力装置ＩＯの複数の送信ポートは、当該入出力装置ＩＯに割り当てられている複数の信号伝送ｃｈに１対１で対応付けられており、各送信ポートに供給された波形データは、ネットワーク入出力部２０６によって、伝送フレームの当該送信ポートに対応する信号伝送ｃｈに書き込まれる。なお、図３に示される入出力装置ＩＯでは、この入力パッチ２２２が、オーディオバス２１２によるアナログ入出力部２０５からネットワーク入出力部２０６への波形データ供給機能として具現化されている。
【００４５】
このように、パッチ２２２の設定によって入力ポートと信号伝送ｃｈとが関係付けられるが、この設定では、ユーザに個別の信号伝送ｃｈを提示し、入力ポートから信号伝送ｃｈへのパッチ設定をさせるようにしてもよいし、信号伝送ｃｈをユーザから隠して、入力ポートから入力ｃｈへのパッチ設定のみを行わせ、そのパッチ設定に必要な信号伝送ｃｈの割り当て(及び対応する送信ポートへの結線)は、ＣＰＵ２０１により自動に行われるようにしてもよい。以降に説明するパッチ２２３、入力パッチ１２２及び出力パッチ１２６についても同様である。
【００４６】
図５の説明に戻ると、以上の過程で送出される波形データを処理するミキサＭ１は、音響信号処理に関する機能として、入力部１２１、入力パッチ１２２、入力ｃｈ部１２３、混合バス１２４、出力ｃｈ部１２５、出力パッチ１２６及び出力部１２７の機能を備える。図２に示されるミキサＭでは、入力部１２１及び出力部１２７は外部入出力部１０７として、入力ｃｈ部１２３、混合バス１２４、及び出力ｃｈ部１２５はＤＳＰ１０８として、入力パッチ１２２及び出力パッチ１２６はオーディオバス１１２によるブロック間の波形データ伝送機能として、それぞれ具現化されている。また、オーディオネットワークから
入力パッチ１２２への結線、及び、出力パッチ１２６からオーディオネットワークへの結線は、ともにネットワーク入出力部１０９として具現化されている。
【００４７】
入力部１２１は、入出力装置ＩＯの入力部２２１と同様であり、アナログ音響信号の入力を受け付けるアナログ入力ポート及びデジタル音響信号の入力を行うデジタル入力ポートを複数備える。
図７に、入力部１２１におけるアナログ音響信号の入力を受け付ける入力ポート１２１ａの構成を示すが、アナログアンプ１３１、ゲイン調整部１３２、ＡＤＣ（アナログ・デジタル・コンバータ）１３３、補償部１３４、スイッチ１３５を備え、これらは図６に示した入力ポート２２１ａにおける同名の構成と同じ機能を有する。従って、入力ポート１２１ａ全体としても、機能は入力ポート２２１ａと同様である。
ただし、出力信号が、入力パッチ１２２を経て入力ｃｈ部１２３の入力ｃｈに供給される点が、入力ポート２２１ａと異なる。
【００４８】
ミキサＭのＣＰＵ１０１によって、ネットワーク入出力部１０９に対し、受信ｃｈとして複数の信号伝送ｃｈが設定されると、ネットワーク入出部１０９には、該複数の受信ｃｈに対応して複数の受信ポートが形成される。そして、ネットワーク入出力部１０９は、伝送フレームの該設定された複数の受信ｃｈの領域から複数の波形データを受信し、受信された複数の波形データは対応する複数の受信ポートから入力パッチ１２２に出力される。
ミキサＭ１の入力パッチ１２２は、入力ｃｈ部１２３に複数設けた入力ｃｈの各々に、該複数の受信ポートから出力される複数の波形データ及び複数の入力ポート１２１aから出力される複数の波形データのうちの何れか１つを、ユーザにより設定された対応関係に従って供給する。
【００４９】
入力ｃｈ部１２３は、複数の入力ｃｈを備える信号処理部であり、各入力ｃｈにおいて、入力する音響信号に対し、各種の信号処理を行う。
図８にこの入力ｃｈの構成を示す。
入力ｃｈ１２３ａは、図８に示すように、アッテネータ（Ａｔｔ）１４１、イコライザ（ＥＱ）１４２、コンプレッサ（Ｃｏｍｐ）１４３及びレベル調整部１４４を備える。
これらのうちアッテネータ１４１は、入力信号の減衰を行う。イコライザは、周波数特性の調整を行う。コンプレッサ１４３は、信号のダイナミックレンジを圧縮するレベル調整を行う。レベル調整部１４４は、コンプレッサ１４３の出力を混合バス１２４の各系統へ出力する際に、出力先毎にレベル調整を行う。
【００５０】
なお、入力ｃｈ１２３ａへの入力は、ネットワーク入出力部１０９がオーディオネットワークから取得した任意の数の波形データあるいは入力部１２１の各入力ポート１２１ａから供給される波形データのうち、入力パッチ１２２により当該入力ｃｈ１２３ａと対応付けられた１の波形データである。
【００５１】
また、混合バス１２４の各系統においては、複数ある入力ｃｈ１２３ａから当該系統へ供給された信号を全て加算して、出力ｃｈ部１２５における、当該系統と対応する出力ｃｈへ出力する。
その出力ｃｈにおいても、入力する波形データ対し、アッテネータ（Ａｔｔ）、イコライザ（ＥＱ）、コンプレッサ（Ｃｏｍｐ）等の信号処理要素により種々の信号処理を行うことができる。
【００５２】
図５に戻ると、出力ｃｈ部１２５の各出力ｃｈが出力する波形データは、出力パッチ１２６に供給される。そして、出力パッチ１２６は、ユーザにより設定された対応関係に従い、ネットワーク入出力部１０９の複数の送信ポート及び、出力部１２７が備える複数の出力ポートの各々に対して、複数の出力ｃｈから出力される複数の波形データのうちの何れか１つを供給する。
出力部１２７は、図２に示した外部入出力部１０７のうち、信号の出力を担当する部分であり、アナログ音響信号の出力を行うアナログ出力ポート及びデジタル音響信号の出力を行うデジタル出力ポートを複数備える。
【００５３】
また、ミキサＭ１がオーディオネットワークへ送出した波形データは、入出力装置ＩＯが読み出して外部へ出力する。この出力には、パッチ２２３と出力部２２４が関与する。
これらのうち出力部２２４は、図３に示した外部入出力部２０５のうち、信号の出力を担当する部分であり、アナログ音響信号の外部への出力を行う出力ポート及びデジタル音響信号の出力を行うデジタル出力ポートを複数備える。
【００５４】
入出力装置ＩＯのＣＰＵ２０１によって、ネットワーク入出力部２０６に対し、受信ｃｈとして複数の信号伝送ｃｈが設定されると、ネットワーク入出部２０６には、該複数の受信ｃｈに対応して複数の受信ポートが形成され、設定された受信ｃｈで受信された複数の波形データは、その複数の受信ｃｈに対応する複数の受信ポートからそれぞれパッチ２２３に出力される。
【００５５】
パッチ２２３は、ユーザにより設定された対応関係に従い、出力部２２４の複数の出力ポートの各々に、複数の受信ポートから出力される複数の波形データのうちの何れか１つを供給する。
以上のように、図３の入力装置ＩＯでは、入力部２２１及び出力部２２４が外部入出力部２０５として、パッチ２２２及びパッチ２２３がオーディオバス２１２による波形伝送機能として、パッチ２２２及びパッチ２２３とオーディオネットワークとの間の結線がネットワーク入出力部２０６として、それぞれ具現化されている。
【００５６】
以上のようなオーディオネットワークシステムＳにおいて、一つの特徴的な点は、入力ポート１２１ａ及び２２１ａにおけるレベル調整のゲイン及び自動補償の設定と、その設定状態の表示に関する機能である。そこで、以下これらの点について説明する。
【００５７】
まず、図９に、入力ポートにおけるゲイン及び自動補償の設定操作を受け付けるための入力レベル操作部の構成を示す。
オーディオネットワークシステムＳにおいては、ミキサＭの操作パネル上に、図９に示す入力レベル操作部１６０を複数設けている。この入力レベル操作部１６０は、タッチパネルのディスプレイに表示された表示部品であり、ゲインつまみ１６１、ゲイン表示部１６２及び補償ボタン１６３を備える。
【００５８】
これらのうちゲインつまみ１６１は、アナログアンプ１３１及び２３１のアナログゲイン値の設定操作を受け付けるためのゲイン操作受付手段である。
ゲイン表示部１６２は、ゲインつまみ１６１の近傍に設けられ、マーク１６２ａ（図１４参照）及び目盛りにより、自動補償機能がオンの場合に自動補償に係るゲインの目標値である目標ゲインを表示する表示手段である。また、目盛りは、ゲインつまみ１６１の指示部１６１ａとも対応しており、指示部１６１ａの位置により、ゲインつまみ１６１の操作により設定されるアナログゲイン値の現在値も表示可能である。
【００５９】
補償ボタン１６３は、自動補償機能のオンオフ操作をトグルで受け付けるための補償操作受付手段である。
なお、ゲインつまみ１６１及び補償ボタン１６３に対する操作は、タッチパネルに対するドラッグ操作やタッチ操作により行うことができる。しかし、ゲインつまみ１６１や補償ボタン１６３の機能を物理的なロータリーエンコーダやボタン等の操作子に割り当て、その操作子に対する操作を、ゲインつまみ１６１及び補償ボタン１６３に対する操作として取り扱うことができるようにしてもよい。
【００６０】
以上の入力レベル操作部１６０は、ミキサＭ自身が備える入力ポート１２１ａあるいは、他のミキサＭあるいは入出力装置ＩＯが備える入力ポート１２１ａ又は２２１ａのいずれかと対応付けられ、その入力ポートに関するアナログゲイン値及び自動補償オンオフの設定を受け付けるための操作受付手段として機能する。入力レベル操作部１６０と入力ポートとの対応関係は、固定でもよいが、ユーザの操作により変更可能とするとよい。
【００６１】
次に、図１０に、ミキサＭにおけるパラメータの記憶領域の構成を示す。
ミキサＭは、図１０に示すように、ＲＡＭ１０３上に、カレントメモリ１５１及び仮想カレントメモリ１５２の記憶領域を設ける。
このうちカレントメモリ１５１は、ミキサＭが自身の動作に反映させるパラメータの現在値を記憶する領域である。このパラメータは、入力ポート１２１ａにおけるアナログゲイン値や自動補償機能オンオフを含むし、入力パッチ１２２における波形データと入力ｃｈ１２３ａの対応関係や、各入力ｃｈ１２３ａにおける信号処理に用いるパラメータも含む。
【００６２】
一方、仮想カレントメモリ１５２は、パラメータの設定操作受付や表示に用いる現在値を記憶する領域であり、ミキサＭ自身だけでなく、ミキサＭから操作可能な全ての装置に関するパラメータを記憶する領域を用意している。各装置に関する記憶領域は、その装置のカレントメモリと同じデータ構造であり、同じパラメータを記憶する。
【００６３】
そして、ミキサＭが、入力レベル操作部１６０をはじめとする操作子によりパラメータ変更操作を受け付けた場合、まずこの仮想カレントメモリ１５２におけるパラメータの値を変更し、必要に応じて、その変更後の値に応じて、現在値の表示も更新する。そしてその後速やかに、仮想カレントメモリ１５２における値の変更を、カレントメモリ１５１に反映させ、その時点で信号処理にパラメータの値の変更が反映される。ミキサＭ以外の装置のパラメータが変更された場合、オーディオネットワークを介してその装置へ変更を命令し、信号処理にパラメータの値の変更を反映させる。
【００６４】
また、カレントメモリのパラメータの値を変更した装置（ミキサＭ自身も含む）は、オーディオネットワークシステムＳ内の各装置にその変更後の値を通知し、仮想カレントメモリの対応するパラメータの値を同様に変更させる。このことにより、オーディオネットワークシステムＳ内の全装置で仮想カレントメモリの内容を統一できる。したがって、複数台の装置、例えばミキサＭ１とミキサＭ２でパラメータを編集可能な場合でも、１台の装置でなされた変更の内容を速やかに全装置で共有し、矛盾なくパラメータの値を編集することができる。
【００６５】
次に、入力レベル操作部１６０の操作に応じてオーディオネットワークシステムＳの各装置が実行する処理について説明する。
まず、図１１及び図１２に、ミキサＭのＣＰＵ１０１が補償ボタン１６３の操作を検出した場合の処理のフローチャートを示す。
ミキサＭのＣＰＵ１０１は、ある装置Ｙのｘ番目の入力ポートと対応する補償ボタン１６３の操作を検出すると、図１１の左上のフローチャートに示す処理を開始する。
【００６６】
この処理において、ＣＰＵ１０１はまず、仮想カレントメモリ１５２中の、装置Ｙについての自動補償フラグＡＣＳ（ｘ）を反転する（Ｓ１１）。ＡＣＳ（ｘ）は、ｘ番目の入力ポートの自動補償オンオフを示すフラグである。
そして、反転後のＡＣＳ（ｘ）の値がＯＮであれば（Ｓ１２）、自動補償の開始に対応した処理として、自動補償時のゲインの目標値である目標ゲインＴＧ（ｘ）の値として、アナログアンプ１３１のゲインの現在値であるアナログゲインＡＧ（ｘ）の値を設定する（Ｓ１３）。その後、操作された補償ボタン１６３をオン表示にし、対応するゲイン表示部１６２に、ＴＧ（ｘ）の値を示すマーク１６２ａ（図１４参照）を表示させる（Ｓ１４）。
【００６７】
一方、ステップＳ１２で反転後のＡＣＳ（ｘ）の値がＯＦＦであれば、自動補償の終了に対応した処理として、操作された補償ボタン１６３をオフ表示にし、対応するゲイン表示部１６２におけるマーク１６２ａの表示を消去させる（Ｓ１５）。
そして、いずれの場合も、装置Ｙに、ＡＣＳ（ｘ）の値を、反転後の値（仮想カレントメモリの値）に設定するよう命令し（Ｓ１６）、処理を終了する。この命令は、オーディオネットワークを介して、装置Ｙに対して、ＡＣＳ（ｘ）の識別子と現在値とを含むコマンドを送信することにより行うことができる。また、装置ＹがミキサＭ自身の場合には、コマンドの送信は不要であるが、命令に応じた処理は他の装置の場合と同様に実行する。
【００６８】
一方、オーディオネットワークシステムＳを構成する各装置のＣＰＵ（ここでは入出力装置ＩＯのＣＰＵ２０１とする）は、ステップＳ１６で自身宛に送信されたＡＣＳ（ｘ）の設定命令を検出すると、図１１の右下のフローチャートに示す処理を開始する。
この処理において、ＣＰＵ２０１はまず、命令に含まれる識別子が示すカレントメモリ中のパラメータＡＣＳ（ｘ）を、命令に含まれる現在値と同じ値に設定する（Ｓ２１）。
【００６９】
そして、設定後のＡＣＳ（ｘ）の値がＯＮであれば（Ｓ２２）、自動補償を開始すべく、目標ゲインＴＧ（ｘ）の値としてアナログゲインＡＧ（ｘ）の値を設定すると共に、補償部２３４のゲインである補償ゲインＣＧ（ｘ）の値を０ｄＢに設定する（Ｓ２３）。そして、ｘ番目の入力ポート２２１ａのスイッチ２３５を補償部２３４側に切り替えると共に、補償部２３４のゲインをＣＧ（ｘ）の値に従って制御する（Ｓ２４）。
【００７０】
一方、ステップＳ２２でＡＣＳ（ｘ）の値がＯＦＦであれば、自動補償を停止すべく、ｘ番目の入力ポート２２１ａのスイッチ２３５をＡＤＣ２３３側に切り替える（Ｓ２５）。ＡＧ（ｘ）の値は変更しないので、以後、入力ポート２２１ａから出力される波形データは、切り替え時点のＡＧ（ｘ）の値に従ってレベル調整されたものになる。
そして、いずれの場合も、オーディオネットワークシステムＳ内で仮想カレントメモリを有する各装置（ここではミキサエンジンＭ１，Ｍ２）に、変更後のＡＣＳ（ｘ）及びＴＧ（ｘ）の値を通知して（Ｓ２６）、処理を終了する。この通知は、オーディオネットワークを介して、各装置に対して、ＡＣＳ（ｘ）及びＴＧ（ｘ）の各々の識別子と現在値とを含むメッセージを送信することにより行うことができる。
【００７１】
なお、どの装置へステップＳ２６の通知を行うべきか（どの装置が装置Ｙについての仮想カレントメモリを備えているか）は、予め手動で設定しておくか、装置Ｙを起動してオーディオネットワークに接続する際に必要な情報を自動的に収集して設定する。また、ＡＣＳ（ｘ）の設定命令の送信元には、必ずしも、ステップＳ２６の通知を行わなくてもよい。
また、ＣＧ（ｘ）の値は、ユーザが直接操作して設定するものでも表示に用いるものでもないので仮想カレントメモリと値を統一する必要がないためここでは通知していないが、ＣＧ（ｘ）の値も通知して値を統一するようにしてもよい。
【００７２】
そして、オーディオネットワークシステムＳを構成する各装置のＣＰＵ（ここではミキサＭのＣＰＵ１０１とする）は、装置ＹからステップＳ２６で自身宛に送信された通知を検出すると、図１２のフローチャートに示す処理を開始する。
この処理において、ＣＰＵ１０１はまず、仮想カレントメモリ１５２中の、通知の送信元である装置ＹについてのＡＣＳ（ｘ）及びＴＧ（ｘ）に、通知された値を設定する（Ｓ３１）。
【００７３】
そして、設定後のＡＣＳ（ｘ）の値がＯＮであれば（Ｓ３２）、装置Ｙのｘ番目の入力ポートについての補償ボタン１６３をオン表示にし、対応するゲイン表示部１６２に、設定後のＴＧ（ｘ）の値を示すマーク１６２ａ（図１４参照）を表示させ（Ｓ３３）、処理を終了する。
一方、ステップＳ３２で反転後のＡＣＳ（ｘ）の値がＯＦＦであれば、装置Ｙのｘ番目の入力ポートについての補償ボタン１６３をオフ表示にし、対応するゲイン表示部１６２におけるマーク１６２ａの表示を消去させ（Ｓ３４）、処理を終了する。
【００７４】
以上の一連の処理により、自動補償機能をオンする操作に応じて、装置Ｙに入力ポートｘにおける自動補償を開始させると共に、自動補償時のゲインの目標値をアナログゲイン値の表示にも用いるゲイン表示部１６２に表示させることができる。また、自動補償機能をオフする操作に応じて、装置Ｙに入力ポートｘにおける自動補償を停止させると共に、目標値の表示も消去することができる。
なお、ステップＳ１６において、ＴＧ（ｘ）については設定すべき値そのものは通知せず、装置Ｙ側でＡＧ（ｘ）の値を参照して値を設定させるようにしているが、ＴＧ（ｘ）についても、ステップＳ１６で具体的な値を指定して設定を命令するようにしてもよい。
【００７５】
次に、図１３に、ミキサＭのＣＰＵ１０１がゲインつまみの操作を検出した場合の処理のフローチャートを示す。
ミキサＭのＣＰＵ１０１は、ある装置Ｙのｘ番目の入力ポートと対応するゲインつまみ１６１の操作を検出すると、図１３の左上のフローチャートに示す処理を開始する。
この処理において、ＣＰＵ１０１はまず、仮想カレントメモリ１５２中の、装置ＹについてのアナログゲインＡＧ（ｘ）の値を、検出した操作量に応じて変更する（Ｓ４１）。
そして、操作されたゲインつまみ１６１の表示を、変更後のＡＧ（ｘ）の値を表示するように更新する（Ｓ４２）。その後、装置Ｙに、ＡＧ（ｘ）の値を変更後の値（仮想カレントメモリの値）に設定するよう、図１１のステップＳ１６の場合と同様に命令し（Ｓ４３）、処理を終了する。この命令は、オーディオネットワークを介して、装置Ｙに対して、ＡＧ（ｘ）の識別子と現在値とを含むコマンドを送信することにより行われる。
【００７６】
一方、オーディオネットワークシステムＳを構成する各装置のＣＰＵ（ここでは入出力装置ＩＯのＣＰＵ２０１とする）は、ステップＳ４３で自身宛に送信されたＡＧ（ｘ）の設定命令を検出すると、図１３の右側のフローチャートに示す処理を開始する。
この処理において、ＣＰＵ２０１はまず、命令に含まれる識別子が示すカレントメモリ中のパラメータＡＧ（ｘ）を、命令に含まれる現在値と同じ値に設定する（Ｓ５１）。そして、ｘ番目の入力ポート２２１ａのアナログアンプ２３１のゲインを、変更後のＡＧ（ｘ）の値に従って制御する（Ｓ５２）。
【００７７】
その後、ＡＣＳ（ｘ）の値がＯＮであれば（Ｓ５３）、自動補償に関する処理を実行すべく、補償ゲインＣＧ（ｘ）の値を、目標ゲインＴＧ（ｘ）と変更後のアナログゲインＡＧ（ｘ）の値の差に設定する（Ｓ５４）と共に、ｘ番目の入力ポート２２１ａの補償部２３４のゲインを、変更後のＣＧ（ｘ）の値に従って制御する（Ｓ５５）。
その後、オーディオネットワークシステムＳ内で仮想カレントメモリを有する全装置（ここではミキサエンジンＭ１，Ｍ２）に、変更後のＡＧ（ｘ）の値を図１１のステップＳ２６と同様に通知して（Ｓ５６）、処理を終了する。この通知は、オーディオネットワークを介して、各装置に対して、ＡＧ（ｘ）の識別子と現在値とを含むメッセージを送信することにより行うことができる。
ステップＳ５３でＡＣＳ（ｘ）の値がＯＦＦであれば、そのままステップＳ５６に進む。
【００７８】
そして、オーディオネットワークシステムＳを構成する各装置のＣＰＵ（ここではミキサＭのＣＰＵ１０１とする）は、装置ＹからステップＳ５３で自身宛に送信された通知を検出すると、図１３の左下のフローチャートに示す処理を開始する。
この処理において、ＣＰＵ１０１はまず、仮想カレントメモリ１５２中の、装置ＹについてのＡＧ（ｘ）に、通知された値を設定する（Ｓ６１）。そして、変更したＡＧ（ｘ）と対応するゲインつまみ１６１の表示を、変更後のＡＧ（ｘ）の値を表示するように更新して（Ｓ６２）、処理を終了する。
【００７９】
以上の一連の処理により、自動補償機能がオンの場合には、補償部２３４のゲインを、目標値とアナログゲインの現在値との差分を打ち消す値に設定することができる。また、自動補償機能のオンオフによらず、ゲイン表示部１６２に、アナログゲインの現在値を表示させることができる。
【００８０】
次に、図１４に、図１１乃至図１３の処理により行われる入力レベル操作部１６０における表示の遷移例を示す。
図１４の（ａ）に示すのは、自動補償機能がオフの状態である。この状態でゲインつまみ１６１を回すと、それに応じて入力ポートにおけるアナログゲイン値が変化し、それは実効ゲインにも反映される。また、指示部１６１ａにより、アナログゲインの現在値も表示される。
【００８１】
そして、つまみを任意の位置まで回して補償ボタン１６３を押下すると、（ｂ）に示す状態となる。補償ボタン１６３は、自動補償機能がオンであることを示す点灯状態となり、ゲイン表示部１６２には、マーク１６２ａにより、目標ゲインとしてその時点のアナログゲインの現在値が表示される。
【００８２】
自動補償機能がオンの状態でゲインつまみ１６１を回すと、それに応じてアナログゲイン値が変化し、（ｃ）に示すように、指示部１６１ａもアナログゲインの現在値を示す位置に移動するが、もちろん目標ゲインは変化しない。そして、入力ポートの実効ゲインも、目標ゲインの値のままである。
その後、再度補償ボタン１６３を押下すると、自動補償機能がオフの状態に戻る。そして、（ｄ）に示すように、補償ボタン１６３は、自動補償機能がオフであることを示す消灯状態となり、目標ゲインを示すマーク１６２ａは消去される。
【００８３】
以上の通り、オーディオネットワークシステムＳでは、自動補償機能がオンの場合に、（ｂ）及び（ｃ）のように入力ポートのアナログゲインの設定を受け付けるゲインつまみ１６１の近傍に自動補償の目標ゲインを表示している。従って、ゲインつまみ１６１の表示を見るだけで、自動補償機能のオンオフ及び、オンの場合の入力ポートの実効ゲイン（目標ゲイン）を確認することができる。もちろん、自動補償機能のオンオフを問わず、アナログアンプのゲイン値も確認することができる。従って、入力ポートから後段へ出力される信号のレベルをユーザが把握し易い状態で、自動補償機能を利用することができる。すなわち、入力ポートの実効ゲインを把握しつつ、アナログゲインの値を、ＡＤ変換に好適な値に調整することができる。
【００８４】
次に、図１５乃至図１７に、入力ポートのゲイン調整に関する操作部の別の表示例を示す。これらの図に示す表示例は、ゲインつまみ１６１及び補償ボタン１６３に相当する操作子の他、他の操作子も合わせてひとまとまりの操作部としたものである。
図１５及び図１６に示すのは、ゲイン／パッチ設定画面の表示例である。
【００８５】
このゲイン／パッチ設定画面３００は、音響信号の外部入力からその信号を処理するミキサＭの入力ｃｈ１２３までの信号伝送に関する設定を受け付ける画面である。より具体的には、ミキサＭの入力ｃｈ部１２３の１つの入力ｃｈ１２３ａについて、どの装置のどの入力ポートから入力した音響信号を供給するかの設定と共に、入力ポートにおけるゲイン調整に関する設定も受け付ける画面である。
【００８６】
不図示の画面においてユーザが入力ｃｈを１つ選択してゲイン／パッチ設定画面の表示を指示すると、ゲイン／パッチ設定画面３００がポップアップ表示され、入力ｃｈ表示部３０１にそのｃｈの情報が表示される。
また、入力ポート選択部３０２をタッチすると、不図示のポップアップ画面によりどの入力ポートから入力した音響信号を入力ｃｈ表示部３０１に表示された入力ｃｈへ供給するかを選択することができる。選択肢は、特に別途制限をしなければ、オーディオネットワークシステムＳを構成する全ての装置（ミキサＭ自身も含む）の全ての入力ポートである。
【００８７】
ミキサＭ自身の入力ポート１２１ａが選択された場合、その選択に応じて、入力パッチ１２２で入力ポート１２１ａと入力ｃｈ１２３ａとが対応付けられる。
また、入出力装置ＩＯの入力ポート２２１ａが選択された場合、その選択に応じて、その入力ポート１２１ａからその入力ｃｈ１２３ａへ音響信号を供給するための、パッチ２２２、オーディオネットワーク、及びパッチ１２２を介した結線が自動的に設定される。
より詳細に説明すると、その入出力装置ＩＯにおいては、確保している信号伝送ｃｈのうちの１つがその結線用に割り当てられ、パッチ２２２には、その割り当てられた信号伝送ｃｈに対応する送信ポートにその入力ポート１２１ａの出力を供給する設定が行われる。また、そのミキサＭにおいては、その信号伝送ｃｈの受信設定により対応する受信ポートが用意され、入力パッチ１２２には、その入力ｃｈ１２３ａにその受信ポートの出力を供給する設定が行われる。
【００８８】
そして、図１５に示したのは、入力ポート選択部３０２において、入出力装置ＩＯ２のアナログ入力ポートＡＰ２が選択された場合の例である。
この場合、入力ポート設定部３１０には、ファンタム電源設定ボタン３１１、ゲインつまみ３１２、補償ボタン３１３及びレベルメータ３１４，３１５を設けている。
ファンタム電源設定ボタン３１１は、入力ポートに設けたヘッドアンプであるアナログアンプ２３１（又は１３１）に供給されるファンタム電源のオンオフを設定するためのボタンである。
【００８９】
ゲインつまみ３１２及び補償ボタン３１３は、図９に示したゲインつまみ１６１及び補償ボタン１６３と対応するものである。もちろん、ゲインつまみ３１２は、アナログゲインの現在値を表示する指示部３１２ａを備えるし、ゲインつまみ３１２の周囲には、自動補償の目標ゲインを示すマーク３１６を表示可能である。
レベルメータ３１４は、アナログアンプ２３１（又は１３１）によるレベル調整後、ＡＤ変換前の信号のレベルを表示し、アナログゲイン値設定の参考に供する。レベルメータ３１５は、スイッチ２３５（又は１３５）により選択された、オーディオネットワークに送出される信号のレベルを表示する。
【００９０】
一方、入力ｃｈ設定部３２０には、位相ボタン３２１、デジタルゲインつまみ３２２及びレベルメータ３２３を設けている。
位相ボタン３２１は、入力ｃｈ１２３ａに設けたアッテネータ１４１内にある図示しない位相反転部の位相反転する／しないを切り替えるためのボタンである。デジタルゲインつまみ３２２はアッテネータ１４１におけるデジタル信号のゲイン（または減衰率）を調整するためのつまみである。レベルメータ３２３は、入力ｃｈ１２３ａにおけるアッテネータ１４１とイコライザ１４２の間の信号のレベルを表示する。
【００９１】
一方、図１６に示したのは、入力ポート選択部３０２において、入出力装置ＩＯ２のデジタル入力ポートＤＰ４が選択された場合の例である。
この場合、入力ポート設定部３１０の構成が図１５の場合と異なり、入力ポート設定部３１０は、接続先の名称を表示する名称表示部３１７と、図１５と対応するレベルメータ３１５とを備えるのみである。
これは、デジタルの入力ポートにはヘッドアンプを設けないため、これに関する設定が不要であるためである。
【００９２】
図１７に示したのは、図１５及び図１６に示した画面の内容を、複数ｃｈ分まとめた画面の例である。
図１７に示すゲイン／パッチ設定画面４００は、入力ｃｈ選択部４１０、入力ポート選択部４２０、ファンタム電源設定部４３０、アナログゲイン設定部４４０、自動補償設定部４５０、位相設定部４６０、デジタルゲイン設定部４７０を備える。
これらの各セクションには、８ｃｈの入力ｃｈ各々について、それぞれ図１５で説明したものと対応する操作部や表示部を備える。しかし、該当する機能のない入力ポートが対応付けられているｃｈについては、操作部も設けていない。
【００９３】
入力ｃｈ選択部４１０は、図１５の入力ｃｈ表示部３０１と対応する。入力ポート選択部４２０は、図１５の入力ポート選択部３０２と対応する。
ファンタム電源設定部４３０は、図１５のファンタム電源設定ボタン３１１と対応する。ただし、入力ポートと対応付けられていなかったり（ＣＨ６〜ＣＨ８の場合）、ファンタム電源のない入力ポート（ここではデジタルの入力ポート）と対応付けられていたり（ＣＨ４及びＣＨ５の場合）する入力ｃｈについては、ファンタム電源に関する設定は無意味であるので、ボタン自体設けていない。
【００９４】
アナログゲイン設定部４４０は、図１５のゲインつまみ３１２及びレベルメータ３１４と対応するゲインつまみ４４１及びレベルメータ４４３部品を備えるセクションである。ゲインつまみ４４１の近傍には、自動補償の目標ゲインを示すマーク４４２（図１５のマーク３１６と対応）も表示できる。なお、レベルメータ３１４は、入力ポートと対応付けられていない入力ｃｈについては、表示すべきデータがないため設けていない。ゲインつまみ４４１は、それに加え、ヘッドアンプを有しない入力ポート（ここではデジタルの入力ポート）と対応付けられている入力ｃｈについても、設定及び表示すべきパラメータがないため設けていない。
【００９５】
自動補償設定部４５０は、図１５の補償ボタン３１３と対応する。ただし、補償ボタンは、自動補償機能を備えたアナログ入力ポートと対応付けられている入力ｃｈについてのみ設けている。図１７の例において、ＣＨ３の入力ｃｈと対応付けられている入力ポートは、自動補償機能を備えていないアナログ入力ポートであり、このため補償ボタンは設けていない（従ってアナログゲイン設定部４４０においてマーク４４２を表示することもない）。
【００９６】
位相設定部４６０は、図１５の位相ボタン３２１と対応する。デジタルゲイン設定部４７０は、図１５のデジタルゲインつまみ３２２及びレベルメータ３２３と対応する部品を備えるセクションである。
オーディオネットワークシステムＳにおいて、ミキサＭは、以上の図１５乃至図１７を用いて説明した画面によっても、図９に示した入力レベル操作部１６０の場合と同様、入力ポート１２１ａ，２２１ａにおけるアナログゲイン値及び自動補償の目標ゲインを、見やすく、かつ相互の関係がわかりやすい形で表示することができる。
【００９７】
なお、さらに多くのｃｈ、例えば全ｃｈのパラメータを１つの画面に表示させる等、画面のスペースの制約がさらに厳しい場合、補償ボタン３１３の表示を省略することもできる。この場合でも、ユーザは、マーク４４２の有無により、どの入力ｃｈと対応する入力ポート自動補償が実行されているか否かを把握できる。
【００９８】
以上で実施形態の説明を終了するが、システム及び装置の構成、操作パネルの構成、具体的な処理内容、操作方法等が上述の実施形態で説明したものに限られないことはもちろんである。
上述した実施形態においては、入力レベル操作部１６０を、ディスプレイに表示させる画面上に設ける例について説明した。しかし、これに代えて、ゲインつまみ１６１及び補償ボタン１６３と対応する物理的な操作子を用いてもよい。この場合、ゲイン表示部１６２としては、複数のＬＥＤからなるインジケータを、ゲインつまみ１６１の操作可能範囲に沿って設けるとよい。
【００９９】
また、ゲインつまみ１６１は、回転操作可能なノブに限られず、直線方向に移動操作可能なスライダ等、他の形状でも構わない。補償ボタン１６３もプッシュボタンに限られず、レバー式やシーソー式のオンオフスイッチであってもよい。
また、自動補償の目標ゲインとしては、自動補償機能がオンされた時点のアナログゲイン値を用いることが好ましいが、これに限られることはない。
【０１００】
また、上述した実施形態においては、音響信号処理システムを、オーディオネットワークにより音響信号を伝送可能に接続されたミキサ（信号処理装置）及び入出力装置により構成した例について説明した。しかし、これに限られることはなく、自動補償機能を有する入力ポートと、入力ポートからの信号供給先（上述の実施形態では入力ｃｈだがこれに限られない）と、入力ポートに関する操作を受け付け表示を行うＵＩと、入力ポートに関する設定を実行する制御部とを、全て同じ装置が備えていても構わない。すなわち、オーディオネットワークシステムを構成する装置が１台であっても構わない。上述した実施形態においても、ミキサＭは、これらの構成要素を全て備える装置である。
【０１０１】
また、逆に、上述した実施形態では、ＵＩや制御部を、入力ｃｈや入力ポートを備えるミキサＭに設けていたが、ＵＩを独立させて、信号処理装置や入出力装置を制御するための専用の制御装置として設けてもよい。この場合において、制御装置は必ずしもオーディオネットワークに接続されている必要はなく、オーディオネットワークに接続されている何れかの機器に、ＵＳＢ（Universal Serial Bus）やＩＥＥＥ（Institute of Electrical and Electronics Engineers）１３９４等の別のインタフェースを介して接続するようにしてもよい。また、制御装置のハードウェアとしては、操作をＧＵＩ（Graphical User Interface）上で行うのであれば、公知のＰＣを用いることができる。もちろん、音響機器操作用の物理的な操作子を多数備えた専用のリモートコントローラも用いることもできる。
【０１０２】
この点を含め、オーディオネットワークシステムを複数の装置により構成する場合、その各装置に、実施形態で説明した入力ポート、信号供給先、ＵＩ及び制御部の機能が、どのような組み合わせで設けられていても構わない。この場合でも、装置間に適宜な通信を実行させてそれらの装置を協働させることにより、自動補償を含む入力ポートにおけるゲイン調整の機能及び、その動作状態の見やすい表示の機能は、上述した実施形態の場合と同様に実現可能である。
【０１０３】
さらに、複数の装置の間の通信も、上述したようなリング型のオーディオネットワークを介して行うことは必須ではなく、他のプロトコルを用いて行うことももちろん可能である。
また、以上述べてきた構成及び変形例は、矛盾しない範囲で適宜組み合わせて適用することも可能である。
【産業上の利用可能性】
【０１０４】
以上の説明から明らかなように、この発明によれば、自動補償機能を備えた音響信号処理システムにおいて、入力ポートから後段へ出力される信号のレベルをユーザが把握し易くすることができる。
従って、この発明を適用することにより、自動補償機能に係る操作性を向上させることができる。
【符号の説明】
【０１０５】
ＣＢ…通信ケーブル、ＩＯ１〜ＩＯ３…入出力装置、Ｍ１，Ｍ２…ミキサ、Ｓ…オーディオネットワークシステム、１０１，２０１…ＣＰＵ、１０２，２０２…ＲＯＭ、１０３，２０３…ＲＡＭ、１０４…表示器、１０５…電動フェーダ、１０６…操作子、１０７，２０５…外部入出力部、１０８…ＤＳＰ、１０９，２０６…ネットワーク入出力部、１１１，２１１…システムバス、１１２，２１２…オーディオバス、１２１，２２１…入力部、１２１ａ，２２１ａ…入力ポート、１２２…入力パッチ、１２３…入力ｃｈ部、１２３ａ…入力ｃｈ、１２４…混合バス、１２５…出力ｃｈ、１２６…出力パッチ、１２７…出力部、１３１，２３１…アナログアンプ、１３２，２３２…ゲイン調整部、１３３，２３３…ＡＤＣ、１３４，２３４…補償部、１３５，２３５…スイッチ、１４１…アッテネータ、１４２…イコライザ、１４３…コンプレッサ、１４４…レベル調整部、１５１…カレントメモリ、１５２…仮想カレントメモリ、１６０…入力レベル操作部、１６１…ゲインつまみ、１６１ａ…指示部、１６２…ゲイン表示部、１６２ａ…マーク、１６３…補償ボタン、２０４…簡易ＵＩ、２２２，２２３…パッチ、２２４…出力部
【図１】
0005867187.tif 000002
【図２】
0005867187.tif 000003
【図３】
0005867187.tif 000004
【図４】
0005867187.tif 000005
【図５】
0005867187.tif 000006
【図６】
0005867187.tif 000007
【図７】
0005867187.tif 000008
【図８】
0005867187.tif 000009
【図９】
0005867187.tif 000010
【図１０】
0005867187.tif 000011
【図１１】
0005867187.tif 000012
【図１２】
0005867187.tif 000013
【図１３】
0005867187.tif 000014
【図１４】
0005867187.tif 000015
【図１５】
0005867187.tif 000016
【図１６】
0005867187.tif 000017
【図１７】
0005867187.tif 000018